(57)【特許請求の範囲】
【請求項１】
プールのスタート台の略矩形状の天板に取り付けられて使用される背泳者のスタートを補助するためのスタート補助装置であって、
前記天板の外側かつ前記天板の外周面を囲むように配置可能な大きさを有した前開放のコ字状のフレーム枠と、
前記フレーム枠と前記天板とを、前記天板の外周縁部を用いて固定するための固定手段と、
前記フレーム枠の前側の各端部にそれぞれ連結された吊り部材と、
前記フレーム枠が前記天板に固定された状態において、前記吊り部材で吊り下げられて前記プール内に位置する横長の踏み板とを含むことを特徴とする背泳用スタート補助装置。
【請求項２】
前記固定手段は、前記天板の上を完全に横切ることなく、前記フレーム枠と前記天板とを固定する請求項１記載の背泳用スタート補助装置。
【請求項３】
前記固定手段は、前記天板を上下から挟む第１固定手段を含む請求項１又は２記載の背泳用スタート補助装置。
【請求項４】
前記フレーム枠は、前記天板の後方に配された後フレームを含み、
前記第１固定手段が、前記後フレームに設けられている請求項３記載の背泳用スタート補助装置。
【請求項５】
前記後フレームには、持ち運び用のグリップが設けられている請求項４記載の背泳用スタート補助装置。
【請求項６】
前記固定手段は、前記フレーム枠の自重を前記天板の上面で支持させるための第２固定手段を含む請求項３ないし５のいずれかに記載の背泳用スタート補助装置。
【請求項７】
前記フレーム枠は、前記天板の左右両側に配された一対の側部フレームを含み、
前記第２固定手段が、前記側部フレームに設けられている請求項６記載の背泳用スタート補助装置。
【請求項８】
前記フレーム枠は、前記天板の左右両側に配された一対の側部フレームを含み、
前記各側部フレームは、前記天板に固定された第１フレームと、前記第１フレームに対して伸縮可能に取り付けられた第２フレームとを含む請求項１乃至７のいずれかに記載の背泳用スタート補助装置。
【請求項９】
前記各側部フレームには、前記第１フレームに対する前記第２フレームの位置を拘束するための位置決め部材が設けられている請求項８記載の背泳用スタート補助装置。
【発明の詳細な説明】
【技術分野】
【０００１】
本発明は、背泳者のスタートを補助するための背泳用スタート補助装置に関する。
【背景技術】
【０００２】
従来、競泳者のスタートを補助するためのスターティングブロックが提案されている。下記特許文献１のスターティングブロックは、クラウチングスタートの飛込みの水平力及び水平速度を改善するためのものである。また、背泳用のスターティングブロックとして、図１１のような背泳用スタート補助装置１００も提案されている。この背泳用スタート補助装置１００は、スタート台２００の天板２０１の上面に取り付けられた本体１０１と、この本体１０１に一対の吊り部材１０２を介して支持された踏み板１０３とを有する。そして、踏み板１０３は、プールＰの水面Ｈ付近に位置決めされる。背泳者は、この踏み板１０３に足裏を当てて、かつ、強く蹴り出すことにより、勢いよくスタートを行うことができる。
【先行技術文献】
【特許文献】
【０００３】
【特許文献１】国際公開第２００３／０９２８１９号
【発明の概要】
【発明が解決しようとする課題】
【０００４】
従来の背泳用スタート補助装置１００は、本体１０１がスタート台２００に取り付けられた状態では、この本体１０１が邪魔になってスタート台２００の天板２０１が使用できない。従って、例えば、背泳と自由形の泳者が同時に練習するような状況では、背泳用スタート補助装置１００がスタート台２００に装着されていると、自由形の泳者はスタート台２００の天板２０１から飛び込むことができない。そのため、自由形の泳者が飛び込む際には、その都度、背泳用スタート補助装置１００の取り外す必要があった。
【０００５】
本発明は、以上のような実状に鑑み案出されたもので、スタート台の天板の外周縁部を用いて固定することを基本として、取り付けられた状態でもスタート台の天板を使用可能な背泳用スタート補助装置を提供することを主たる目的としている。
【課題を解決するための手段】
【０００６】
本発明は、プールのスタート台の略矩形状の天板に取り付けられて使用される背泳者のスタートを補助するためのスタート補助装置であって、前記天板の外側かつ前記天板の外周面を囲むように配置可能な大きさを有した前開放のコ字状のフレーム枠と、前記フレーム枠と前記天板とを、前記天板の外周縁部を用いて固定するための固定手段と、前記フレーム枠の前側の各端部にそれぞれ連結された吊り部材と、前記フレーム枠が前記天板に固定された状態において、前記吊り部材で吊り下げられて前記プール内に位置する横長の踏  
【０００７】
本発明に係る背泳用スタート補助装置において、前記固定手段は、前記天板の上を完全に横切ることなく、前記フレーム枠と前記天板とを固定するのが望ましい。
【０００８】
本発明に係る背泳用スタート補助装置において、前記固定手段は、前記天板を上下から挟む第１固定手段を含むのが望ましい。
【０００９】
本発明に係る背泳用スタート補助装置において、前記フレーム枠は、前記天板の後方に配された後フレームを含み、前記第１固定手段が、前記後フレームに設けられているのが望ましい。
【００１０】
本発明に係る背泳用スタート補助装置において、前記後フレームには、持ち運び用のグリップが設けられているのが望ましい。
【００１１】
本発明に係る背泳用スタート補助装置において、前記固定手段は、前記フレーム枠の自重を前記天板の上面で支持させるための第２固定手段を含むのが望ましい。
【００１２】
本発明に係る背泳用スタート補助装置において、前記フレーム枠は、前記天板の左右両側に配された一対の側部フレームを含み、前記第２固定手段が、前記側部フレームに設けられているのが望ましい。
【００１３】
本発明に係る背泳用スタート補助装置において、前記フレーム枠は、前記天板の左右両側に配された一対の側部フレームを含み、前記各側部フレームは、前記天板に固定された第１フレームと、前記第１フレームに対して伸縮可能に取り付けられた第２フレームとを含むのが望ましい。
【００１４】
本発明に係る背泳用スタート補助装置において、前記各側部フレームには、前記第１フレームに対する前記第２フレームの位置を拘束するための位置決め部材が設けられているのが望ましい。
【発明の効果】
【００１５】
本発明の背泳用スタート補助装置は、スタート台の天板の外側かつ天板の外周面を囲むように配置可能な大きさを有した前開放のコ字状のフレーム枠と、フレーム枠と天板とを、天板の外周縁部を用いて固定するための固定手段とを含んでいる。このため、スタート台に背泳用スタート補助装置が取り付けられた状態でも、スタート台の天板は、使用可能である。
【００１６】
従って、本発明の背泳用スタート補助装置は、練習用プールのスタート台に取り付けられていても、自由形等の泳者は、スタート台の天板からスタート（飛び込み）することができる。
【００１７】
また、本発明の背泳用スタート補助装置は、固定手段により天板に固定されているため、天板への取り付け及び取り外しが容易である。
【００１８】
さらに、本発明の背泳用スタート補助装置は、フレーム枠の前側の各端部にそれぞれ連結された吊り部材と、フレーム枠が天板に固定された状態において、吊り部材で吊り下げられてプール内に位置する横長の踏み板とを含んでいる。このため、背泳者は、踏み板に足裏を当てて、かつ、強く蹴り出すことにより、勢いよくスタートを行うことができる。
【００１９】
以上のように、本発明の背泳用スタート補助装置は、取り付けられた状態でもスタート台の天板を使用可能とし、使い勝手を高め得る。
【図面の簡単な説明】
【００２０】
【図１】本発明の一実施形態の背泳用スタート補助装置がスタート台に装着された状態の斜視図である。
【図２】図１の背泳用スタート補助装置の平面図である。
【図３】図１の分解斜視図である。
【図４】図１の部分拡大図である。
【図５】図４のＡ−Ａ線の断面図である。
【図６】図２のＢ−Ｂ線の断面図である。
【図７】図２のＣ−Ｃ線の断面図である。
【図８】図２のＤ−Ｄ線の断面図である。
【図９】本発明の別実施形態の背泳用スタート補助装置を示す平面図である。
【図１０】さらに別実施形態の背泳用スタート補助装置を示す平面図である。
【図１１】従来例を示す斜視図である。
【発明を実施するための形態】
【００２１】
以下、本発明の実施の一形態が図面に基づき説明される。
図１は、本発明の一実施形態の背泳用スタート補助装置１がスタート台Ｓ１に装着された状態の斜視図、図２は、図１の背泳用スタート補助装置１の平面図、図３は、図１の背泳用スタート補助装置１の分解斜視図を、それぞれ示している。図１乃至図３に示されるように、本実施形態の背泳用スタート補助装置１は、プールＰのプールサイドＰＳに設けられたスタート台Ｓ１に取り付けられて使用されるもので、フレーム枠２と、フレーム枠２に設けられた固定手段３と、吊り部材４によりフレーム枠２に吊り下げられた踏み板５とを含んでいる。
【００２２】
フレーム枠２は、スタート台Ｓ１の天板Ｓ２の外側に配置されており、天板Ｓ２の外周面を囲むように配置可能な大きさを有している。また、フレーム枠２は、天板Ｓ２の後方に配された後フレーム６と、天板Ｓ２の左右両側に配された一対の側部フレーム７，７とを含み、前開放の略コ字状に形成されている。フレーム枠２が天板Ｓ２の外側に配置されるため、背泳用スタート補助装置１がスタート台Ｓ１に取り付けられた状態でも、フレーム枠２は、スタート台Ｓ１の天板Ｓ２の上面を実質的に全開放し、天板Ｓ２の上面を利用したスタート（飛び込み）を可能にする。
【００２３】
固定手段３は、フレーム枠２と天板Ｓ２とを固定するもので、本実施形態では、後フレーム６に設けられた第1固定手段１６と、各側部フレーム７にそれぞれ設けられた第２固定手段１７とを含んでいる。これらの詳細については、後述する。固定手段３は、天板Ｓ２の外周縁部を用いて背泳用スタート補助装置１を固定することができる。従って、固定手段３は、天板Ｓ２の上を完全に横切ることはない。このため、背泳用スタート補助装置１がスタート台Ｓ１に取り付けられた状態でも、固定手段３は、天板Ｓ２の上面の外周縁部と係合しているに過ぎず、天板Ｓ２の上面を利用したスタートを妨げない。
【００２４】
各吊り部材４は、プールＰ内に位置する踏み板５を吊り下げるためのものであり、各々の一方の端部４Ａがフレーム枠２の前側の各端部１０Ａにそれぞれ連結されている。吊り部材４は、例えば、ナイロンベルトのように柔軟性があり、かつ、水に強い材料により構成される。
【００２５】
踏み板５は、断面が三角形状の横長の形状を有しており、その長手方向の両端部を、吊り部材４の他方の端部４Ｂに連結されている。これにより、踏み板５は、フレーム枠２に吊り下げられている。踏み板５は、例えば、吊り部材４の長さが調節されることにより、プールサイドＰＳの形状に関係なく、プールＰ内の予め定めた高さに位置されることができる。
【００２６】
本実施形態の背泳用スタート補助装置１は、以上のような基本構成要素を備えている。以下、各構成要素のより具体的な形状等が説明される。
【００２７】
本実施形態のフレーム枠２は、例えば、金属材料により構成されている。図１及び図２に示されるように、フレーム枠２の後フレーム６は、天板Ｓ２の後方の辺に沿って略直線状にのびている。
【００２８】
後フレーム６には、例えば、持ち運び用のグリップ８が設けられている。グリップ８は、上に向かって突出する棒状のもので、これを把持することにより、背泳用スタート補助装置１の持ち運びが容易となる。
【００２９】
図３に示されるように、各側部フレーム７は、例えば、後フレーム６に一体に固着された第１フレーム９と、第１フレーム９に対して伸縮可能に取り付けられた第２フレーム１０とを含んでいる。また、各側部フレーム７には、第１フレーム９に対する第２フレーム１０の位置を拘束するための位置決め部材１１が設けられている。このため、側部フレーム７の長さは、容易に変更され得る。従って、踏み板５は、プールＰの水面Ｈに対する高さが、吊り部材４のみならず、側部フレーム７の長さを調節することによっても変更可能である。
【００３０】
図２に示されるように、第１フレーム９は、天板Ｓ２の側方の辺に沿うように略直線状にのびている。図３に示されるように、本実施形態の第１フレーム９は、例えば、上下方向に長い縦長の矩形の中空断面を有している。このような第１フレーム９は、縦方向の曲げに強く、また、幅方向の長さが小さくできるので、小型かつ軽量に構成され得る。
【００３１】
第２フレーム１０は、第１フレーム９内に挿入される後側の端部１０Ｂと、吊り部材４が取り付けられる前側の端部１０Ａとを含んでいる。後側の端部１０Ｂは、例えば、上下方向の長さが第１フレーム９の内面長さより短い縦長の矩形断面を有している。このような第２フレーム１０の後側の端部１０Ｂは、縦方向の曲げに強く、第１フレーム９内にスムーズに挿入され得る。
【００３２】
図２に示されるように、各第２フレーム１０の前側の端部１０Ａは、踏み板５の端部と略等しい位置となるように、接続部１０Ｃを介して、それぞれ外側に張り出している。フレーム枠２は、天板Ｓ２の周囲でかつ天板Ｓ２に近い場所に配置されるので、泳者が天板Ｓ２の左右両側から天板Ｓ２に上る場合に影響は少ない。また、図１に示されるように、フレーム枠２は、プールＰ側から見た時に、吊り部材４が略鉛直方向にのびて踏み板５を吊り下げているので、踏み板５を安定して支持することができる。
【００３３】
図４は、位置決め部材１１付近の部分拡大斜視図を示しており、図５は、図４のＡ−Ａ線の断面図を示している。図４及び図５に示されるように、位置決め部材１１は、例えば、位置決めアーム１１Ａと、位置決めピン１１Ｂとを含んでいる。
【００３４】
位置決めアーム１１Ａは、第１フレーム９の上面及び左右の側面を覆うように、断面略コ字状で形成されている。位置決めアーム１１Ａの後端側は、枢軸１３により、第１フレーム９内に挿入されている第２フレーム１０に形成された支点穴１０Ｄに挿入される。従って、位置決めアーム１１Ａは、図４において、実線でしめされるように、上方に跳ね上げられた開放状態と、仮想線で示されるように、第１フレーム９に沿った固定状態との間を移動し得る。また、第１フレーム９には、第２フレーム１０の前後移動に伴って枢軸１３も前後移動可能なように、長穴９Ｂが形成されている。
【００３５】
位置決めピン１１Ｂは、位置決めアーム１１Ａが固定状態とされたときに、第１フレーム９上に形成された複数の位置決め穴９Ａのいずれかに挿入可能に設けられている。
【００３６】
以上のように構成された位置決め部材１１は、位置決めアーム１１Ａを開放状態とすることにより、位置決めピン１１Ｂと位置決め穴９Ａとの係合が解除される。これにより、第２フレーム１０は、第１フレーム９に対して前後に移動することができる。第２フレーム１０の移動範囲は、枢軸１３が、第１フレーム９に設けられた長穴９Ｂを移動可能な範囲に制限されるので、第２フレーム１０の抜け落ちが防止される。
【００３７】
第２フレーム１０の位置を固定する場合には、位置決めピン１１Ｂが第１フレーム９上の任意の位置決め穴９Ａに挿入されるよう位置合わせされた後、位置決めアーム１１Ａが、固定状態へと移動される。このような位置決め部材１１は、操作が容易であり、第１フレーム９に対する第２フレーム１０の位置を簡単に変更可能である。位置決めの操作性をさらに向上するために、位置決めアーム１１Ａには、位置決めピン１１Ｂに対応する位置に、操作者が掴むことができるつまみ部１１Ｃが形成されているのが望ましい。
【００３８】
好ましい形態では、第１フレーム９の前端には、抜け止め部材１４が、ねじ１５により取り付けられている。一方、図５に示されるように、第２フレーム１０の後側の端部１０Ｂには、抜け止め部材１４に当接可能な凸部材１０Ｅが設けられている。このため、例えば、枢軸１３が脱落しているような場合でも、抜け止め部材１４と凸部材１０Ｄとの接触により、第２フレーム１０が第１フレーム９から抜け落ちることが防止される。
【００３９】
図１及び図２に示されるように、本実施形態の固定手段３は、後フレーム６に設けられ、天板Ｓ２を上下から挟む第１固定手段１６と、各側部フレーム７に設けられ、フレーム枠２の自重を天板Ｓ２の上面で支持するための第２固定手段１７とを含んでいる。
【００４０】
図６には、図２のＢ−Ｂ線の断面図が示されている。図２及び図６に示されるように、後フレーム６は、例えば、前開放の断面コ字状に構成されており、その下フランジ６Ａは、上フランジ６Ｂよりも長く構成されている。第１固定手段１６は、例えば、後フレーム６に設けられた押え具２０と、この押え具２０を上下方向に移動させるネジ軸２１とを有している。
【００４１】
押え具２０は、後フレーム６の下フランジ６Ａとの間で天板Ｓ２を挟むための第１固定板２０Ａと、この第１固定板２０Ａに固着されたナット金物２０Ｂとを含んでいる。
【００４２】
第１固定板２０Ａの後端部は、後フレーム６のウエブ６Ｃに沿って折り曲げられている。ナット金物２０Ｂは、軸線を上下にして第１固定板２０Ａに固着されている。ナット金物２０Ｂは、第１固定板２０Ａの後端部が後フレーム６のウエブ６Ｃに当接することにより、回り止めされている。なお、第１固定板２０Ａには、ナット金物２０Ｂに連続する貫通穴が設けられている。
【００４３】
ネジ軸２１は、ナット金物２０Ｂを貫通するように後フレーム６に回動自在に枢止されている。好ましい態様では、ネジ軸２１には、操作者が工具を用いることなく手指で回すことができるように、ハンドルノブ等が設けられている。
【００４４】
以上のように構成された第１固定手段１６は、ネジ軸２１を回動させることにより、回り止めされているナット金物２０Ｂ及び第１固定板２０Ａを上下に移動させることができる。これにより、第１固定手段１６は、第１固定板２０Ａと、後フレーム６の下フランジ６Ａとの間で、天板Ｓ２を上下に挟み、フレーム枠２と天板Ｓ２とを固定することができる。このような第１固定手段１６は、フレーム枠２と天板Ｓ２とを強固に固定可能であるとともに、取り外しも容易に行える。
【００４５】
好ましい態様では、後フレーム６の内部には、ストッパ２２が設けられている。ストッパ２２は、例えば、後フレーム６の両端付近に一対設けられる。ストッパ２２は、ナット金物２０Ｂよりも前方に位置し、天板Ｓ２の後端部と当接することにより、その前後方向の位置を規制することができる。
【００４６】
好ましい態様では、ストッパ２２と第１フレーム９とがなすコーナ部に、補強リブ２３が設けられている。このような補強リブ２３は、フレーム枠２を補強するとともに、スタート台Ｓ１の天板Ｓ２左右の端面と当接し、フレーム枠２との左右方向の位置決めをなし得る。
【００４７】
図1及び図３に示されるように、第２固定手段１７は、側部フレーム７の第１フレーム９に設けられている。第２固定手段１７は、第１フレーム９の上部に設けられた第２固定板１７Ａを含んでいる。フレーム枠２は、第１固定手段１６により、天板Ｓ２に強固に固定されているため、第２固定板１７Ａは、簡単な構成で足りる。本実施形態の第２固定板１７Ａは、フレーム枠２の自重を天板Ｓ２の上面で支持させるための片持ち状に保持された板状のものからなる。
【００４８】
図３及び図６に示されるように、好ましい形態では、第２固定手段１７は、さらにリブ１７Ｂが設けられている。リブ１７Ｂは、第２固定板１７Ａと第１フレーム９とに跨って固定されている。リブ１７Ｂは、第２固定板１７Ａと第１フレーム９との接合部を補強するとともに、天板Ｓ２の左右の端面と当接することにより、フレーム枠２と天板Ｓ２との位置決め機能も有している。
【００４９】
固定手段３のスタート台Ｓ１の天板Ｓ２に接触する部位には、クッションが設けられていてもよい（図示省略。）。クッションは、例えば、ゴム等のエラストマーを接着するように構成される。クッションは、背泳用スタート補助装置１を天板Ｓ２に取り付ける際に、固定手段３及び天板Ｓ２が傷付くのを防止するとともに、背泳用スタート補助装置１が天板Ｓ２に取り付けられた際の滑り止めの機能も有している。
【００５０】
図７は、図２のＣ−Ｃ線の断面図を示している。本実施形態では、図３及び図７に示されるように、吊り部材４が連結されるフレーム枠２の前側の端部１０Ａは、前開放のコ字状であり、開放部分に２本の固定ピン１２，１２が上下方向に平行に隙間をあけて固定されている。図７に示されるように、吊り部材４は、その中間部４Ｃが２本の固定ピン１２，１２間に通される。通された中間部４Ｃには、浮動ピン１８が挿入される。吊り部材４は、吊り部材４に張力が生じた際、２本の固定ピン１２，１２と浮動ピン１８とにより、位置が固定される。このため、吊り部材４は、張力が生じることでその位置が確実に固定され、張力がゆるめられることで、容易に長さ調整をすることができる。
【００５１】
好ましい態様では、吊り部材４の一方の端部４Ａは、２本の固定ピン１２，１２及び浮動ピン１８と、フレーム枠２の前側の端部１０Ａとの間を通って折り返し部材４Ｄへ達している。吊り部材４の一方の端部４Ａは、折り返し部材４Ｄで折り返され、再び２本の固定ピン１２，１２及び浮動ピン１８と、フレーム枠２の前側の端部１０Ａとの間を通って、吊り部材４の裏側に配置するようにしてもよい。このように吊り部材４の一方の端部４Ａを吊り部材４の裏側に配置することで、一方の端部４Ａは、背泳用スタート補助装置１がスタート台Ｓ１の天板Ｓ２に取り付けられた状態でも、泳者がスタート台Ｓ１を利用する際に悪影響を及ぼすおそれが少ない。
【００５２】
本実施形態の踏み板５は、例えば、金属材料により構成され、内部に空間である中空部を有している。図３に示されるように、踏み板５の長手方向の両端には、中空部まで連通する一対のスリット５Ａが設けられている。踏み板５は、さらに長手方向の両側面に側壁５Ｂを有している。各側壁５Ｂは、それぞれ、貫通穴５Ｃを備えている。貫通穴５Ｃは、踏み板５の中空部に進入した水を外に排出する機能を有している。
【００５３】
吊り部材４の他方の端部４Ｂは、ループ上に折り返されて縫製され、スリット５Ａから踏み板５内部に挿入される。一対のスリット５Ａは、吊り部材４の幅に略等しい幅を有しており、吊り部材４は、踏み板５に対し、左右方向に動くおそれが少なく、踏み板５を安定して吊り下げられる。
【００５４】
図８は、図２のＤ−Ｄ線の断面図を示している。図８に示されるように、吊り部材４の他方の端部４Ｂは、踏み板５の中空部に位置し、ループ部内に支持棒１９が挿入される。支持棒１９は、踏み板５の側壁５Ｂの貫通穴５Ｃから踏み板５の中空部に挿入される。吊り部材４は、支持棒１９により、踏み板５から抜け出ることなく踏み板５を支持する。吊り部材４と踏み板５との連結構造が吊り部材４のループ部と支持棒１９であるため、連結構造の故障や破損のおそれが少なく、背泳用スタート補助装置１の耐久性が向上する。
【００５５】
図３に示されるように、支持棒１９は、その長さが踏み板５の側壁５Ｂ間の長さに略等しい。支持棒１９端部と側壁５Ｂとの隙間が少ないため、支持棒１９は、吊り部材４から抜け落ちるおそれが少ない。
【００５６】
図３及び図８に示されるように、踏み板５は、背泳者が足裏を当てる部分に、滑り止め５Ｄが設けられている。このため、踏み板５は、踏み板５を背泳者が強く蹴り出すときにも、足裏がずれにくく、背泳者が勢いよくスタートを行うことを可能としている。
【００５７】
図９は、本発明の別実施形態の背泳用スタート補助装置Ａ１を示す平面図である。図９に示されるように、背泳用スタート補助装置Ａ１のフレーム枠Ａ２は、後フレームＡ６が踏み板５と略等しい長さを有している。このため、側部フレームＡ７の第２フレームＡ１０は、形状が単純なものとなり、製造コストは低減され得る。
【００５８】
図１０は、本発明のさらに別実施形態の背泳用スタート補助装置Ｂ１を示す平面図である。図１０に示されるように、背泳用スタート補助装置Ｂ１の踏み板Ｂ５は、フレーム枠Ｂ２の後フレーム６と略等しい長さを有している。このため、背泳用スタート補助装置Ｂ１は、全体がコンパクトであり、かつ、側部フレームＢ７の第２フレームＢ１０の形状が単純なものとなり、製造コストは低減され得る。
【００５９】
以上、本発明の実施形態について、詳述したが、本発明は例示の実施形態に限定されるものではなく、種々の態様に変形して実施し得るのは言うまでもない。
【符号の説明】
【００６０】
２  フレーム枠
３  固定手段
４  吊り部材
５  踏み板
Ｐ  プール
Ｓ１  スタート台
Ｓ２  天板 
【図１】
0006438296.tif 000002
【図２】
0006438296.tif 000003
【図３】
0006438296.tif 000004
【図４】
0006438296.tif 000005
【図５】
0006438296.tif 000006
【図６】
0006438296.tif 000007
【図７】
0006438296.tif 000008
【図８】
0006438296.tif 000009
【図９】
0006438296.tif 000010
【図１０】
0006438296.tif 000011
【図１１】
0006438296.tif 000012